(57)【特許請求の範囲】
【請求項１】
画像印刷装置自身の筐体の幅とほぼ同一の幅の、１段、または複数段の階段を有し、前記階段の最上段に所定の角度の斜面が設けられる撮影台が対向する位置に配置される画像印刷装置において、
前記撮影台の斜面に寄りかかった被写体の全身を含む範囲を撮影可能範囲として有し、前記撮影台の斜面に寄りかかった前記被写体の正面に対して斜め下方から撮影可能な第１の撮影手段と、
前記第１の撮影手段により撮影された画像を所定の印刷媒体に印刷する印刷手段と
を備えることを特徴とする画像印刷装置。
【請求項２】
前記画像印刷装置が設けられる撮影空間内で撮影を行う被写体の背景となるパネルの上方に設けられ、斜め下方を向いた面に撮像部が設置される撮像手段であって、前記撮影台の斜面に寄りかかった前記被写体の全身を含む範囲を撮影可能範囲として有する第２の撮影手段と、
前記第１の撮影手段、および前記第２の撮影手段のうちのいずれにより撮影するかを選択する選択手段と
を備え、
前記印刷手段は、前記選択手段により選択された前記第１の撮影手段、または前記第２の撮影手段により撮影された画像を印刷する
ことを特徴とする請求項１に記載の画像印刷装置。
【請求項３】
前記斜面に設けられた、前記画像印刷装置を操作する操作手段をさらに備える
ことを特徴とする請求項１または２に記載の画像印刷装置。
【請求項４】
前記印刷媒体に対して設定されている識別情報を取得する取得手段と、
前記取得手段により取得された前記識別情報に基づいて、前記印刷媒体が使用可能なものであるか否かを識別する識別手段と
をさらに備えることを特徴とする請求項１，２または３に記載の画像印刷装置。
【請求項５】
前記印刷媒体を格納し、前記識別情報を管理する管理手段を備え、
前記管理手段は、前記画像印刷装置に対して前記識別情報を提供する
ことを特徴とする請求項４に記載の画像印刷装置により使用される印刷媒体ユニット。
【発明の詳細な説明】
【０００１】
【発明の属する技術分野】
本発明は、画像印刷装置、印刷媒体ユニットに関し、特に、利用者が、様々なポーズをとって、より面白みのある画像を撮影することができるようにした画像印刷装置、印刷媒体ユニットに関する。
【０００２】
【従来の技術】
従来、利用者の画像を撮影し、これを予め用意されたフレーム画像や背景画像と合成してシールシートなどに印刷して提供する画像印刷装置（例えば、プリントクラブ（商標））が知られている。
【０００３】
そして、この画像印刷装置には、利用者の全身を撮影することができるものもあり、通常、外部から利用者が見えないように、ボックス状に仕切られた空間の内部に画像印刷装置が設置される。
【０００４】
【発明が解決しようとする課題】
しかしながら、このような全身を撮影することができる画像印刷装置においては、ポーズをとる空間が限られているということもあり、様々なポーズをとって撮影することができないという課題があった。すなわち、完成するシールに面白みが欠けてしまうという課題があった。
【０００５】
また、全身を撮影するには、撮影空間として、広いスペースが必要となるという課題があった。
【０００６】
本発明は、このような状況に鑑みてなされたものであり、限られた空間において、様々なポーズをとって撮影することができるようにしたものである。
【００１５】
【課題を解決するための手段】
本発明の画像印刷装置は、画像印刷装置自身の筐体の幅とほぼ同一の幅の、１段、または複数段の階段を有し、階段の最上段に所定の角度の斜面が設けられる撮影台が対向する位置に配置される画像印刷装置において、撮影台の斜面に寄りかかった被写体の全身を含む範囲を撮影可能範囲として有し、撮影台の斜面に寄りかかった被写体の正面に対して斜め下方から撮影可能な第１の撮影手段と、第１の撮影手段により撮影された画像を所定の印刷媒体に印刷する印刷手段とを備えることを特徴とする。
【００１６】
この斜面を利用して撮影することにより、ユーザは、上述した撮影台の場合と同様に、様々なポーズをとって撮影することができる。また、ユーザの全身を撮影できる撮影空間を、よりコンパクトに構成することができる。
【００１７】
画像印刷装置が設けられる撮影空間内で撮影を行う被写体の背景となるパネルの上方に設けられ、斜め下方を向いた面に撮像部が設置される撮像手段であって、撮影台の斜面に寄りかかった被写体の全身を含む範囲を撮影可能範囲として有する第２の撮影手段と、第１の撮影手段、および第２の撮影手段のうちのいずれにより撮影するかを選択する選択手段とを備え、印刷手段は、選択手段により選択された第１の撮影手段、または第２の撮影手段により撮影された画像を印刷するようにすることができる。
【００１８】
第２の撮影手段は、所定のボックスの上方に設置されるため、被写体との距離を、より確保することができ、ユーザの全身を、容易にフレームに収めて撮影することができる。
【００１９】
斜面に設けられた、画像印刷装置を操作する操作手段をさらに備えるようにすることができる。
【００２０】
斜面に寄りかかった状態で、操作手段を操作することができるため、ユーザは、ゆっくりと好みのポーズをとって撮影することができる。
【００２１】
印刷媒体に対して設定されている識別情報を取得する取得手段と、取得手段により取得された識別情報に基づいて、印刷媒体が使用可能なものであるか否かを識別する識別手段とをさらに備えるようにすることができる。
【００２２】
識別情報は、例えば、IDタグにより管理されており、従って、取得手段は、例えば、IDタグから識別情報を接触、または非接触により取得するリーダライタにより構成される。また、識別情報がバーコードとされており、それに基づいて、印刷媒体が使用可能なものであるか否かが判定されるようにしてもよい。
【００２３】
このように、識別情報等に基づいて認証するようにしたので、画像印刷装置に対して純正なものとされているシール紙以外のものが使用されるのを抑制することができる。
【００２４】
本発明の画像印刷装置により使用される印刷媒体ユニットは、印刷媒体を格納し、識別情報を管理する管理手段を備え、管理手段により、画像印刷装置に対して識別情報が提供されることを特徴とする。
【００２５】
管理手段は、例えば、IDタグやバーコードなどにより構成される。
【００２９】
【発明の実施の形態】
図１は、本発明を適用した撮影台と対向する位置に設けられる、写真シール自動販売機としての画像印刷装置１の構成例を示す斜視図である。
【００３０】
筐体１１の面１１−１の中央上方には、硬貨投入口１２が設けられている。ユーザは、画像印刷装置１を利用するとき、所定の代金を硬貨投入口１２に投入する。
【００３１】
所定の角度だけ斜め上方を向いた面１１−２には、ユーザが各種の操作を入力するとき操作される操作パネル１３−１、および１３−２が設けられる。操作パネル１３−１、および１３−２には、必要に応じて、各種の操作ボタンが表示され、ユーザは、操作パネル１３−１および１３−２の近傍にそれぞれ用意されているタッチペン１４−１、および１４−２を利用して、各種の処理を入力する。すなわち、操作パネル１３−１、および１３−２は、CRT(Cathode Ray Tube)やLCD(Liquid Crystal Display)の上に、タッチパネルが積層されることにより構成される。
【００３２】
地面とほぼ垂直な面１１−３には、中央に撮影装置３１が配置されている。ユーザは、図示せぬレールに従って、撮影装置３１を上下方向に移動させ、その撮影方向の調整をすることができる。撮影装置３１には、被写体を撮像するCCD(Charge Coupled Device)カメラ３１と、CCDカメラ３１により撮影される動画像が表示される取り込み画像表示部３３が配置されている。
【００３３】
面１１−３には、撮影装置３１と、撮影装置３１が上下方向に移動するレールを挟んで、照明装置１５−１、および１５−２が設けられている。照明装置１５−１、および１５−２は、CCDカメラ３２により取り込まれる画像を静止画像として記憶するタイミングで（撮影するタイミングで）、内蔵する発光体を駆動し、被写体にフラッシュを照射する。
【００３４】
面１１−４には、スピーカ１６−１および１６−２が設けられており、撮影方法を案内する音声ガイダンスや、撮影時の効果音などを出力する。
【００３５】
筐体１１の側面である面１１−５には、その下方に、シール取り出し口１７が設けられており、被写体の画像が所定のシールシートに印刷されて、排出される。ユーザは、撮影を終了したとき、シール取り出し口１７から排出されるシールシートを受け取る。
【００３６】
このような構成を有する画像印刷装置１は、例えば、図２に示すように、所定の大きさの撮影ボックス４１の内部に配置される。
【００３７】
図２に示すように、画像印刷装置１の正面側（面１１−１側）には、その対向する位置に、所定の距離だけ離間して背景パネル４１−１が配置されている。そして、背景パネル４１−１と筐体１１の間にある撮影ボックス４１の入口の上部には、カーテンフレーム４２が設けられており、カーテン４３が取り付けられている。すなわち、カーテン４３により入口が覆われ、撮影ボックス４１の内部の空間（以下、適宜、撮影空間と称する）が、外部から見えないようになされている。
【００３８】
図３は、撮影空間の内部の各装置の配置の例を示す図であり、説明の便宜上、撮影ボックス４１は、点線で示してある。
【００３９】
撮影空間において、筐体１１の正面には、所定距離だけ離間して本発明を適用した撮影台６１が用意されている。この撮影台６１は、水平方向の面６１−１を１段目の階段の上面として、面６１−２を２段目の階段の上面として構成されており、２段目の階段のさらに上方には、所定の角度を有する斜面６１−３が設けられている。ユーザは、この撮影台６１を利用して、様々なポーズをとって撮影することができる。撮影台６１の詳細な構成については、後述する。
【００４０】
背景パネル４１−１の上方には、撮影装置７１が設けられており、筐体１１に設置される撮影装置３１と同様に、CCDカメラ７２、および取り込み画像表示部７３が、所定の角度だけ斜め下方を向いた面に設置されている。CCDカメラ７２により撮影された画像は、取り込み画像表示部７３に動画像として表示される。その動画像データ、または撮影した静止画像データは、図示せぬケーブルを介して筐体１１に供給される。すなわち、ユーザは、撮影装置３１と撮影装置７１のうち、いずれの撮影装置により撮影するかを選択することができる。
【００４１】
図４は、撮影台６１の側面を、図５は、撮影台６１の正面をそれぞれ示す図である。
【００４２】
図４に示すように、撮影台６１は、面６１−１を１段目の階段の上面とし、面６１−２を２段目の階段の上面として構成されている。それぞれの階段の幅は、例えば、３０cm乃至４０cmの幅とされ、ユーザがそれぞれの階段の上に立って、様々なポーズをとることができるようになされている。
【００４３】
斜面６１−３は、水平を基準として、例えば、４５度乃至５０度の傾斜を有する面とされ、ユーザが面６１−１などに足をかけて寄りかかることができるようになされている。なお、面６１−１，６１−２のそれぞれには、斜面６１−３に寄りかかったユーザが転倒するのを防止するため、所定のストッパーなどが設けられる。
【００４４】
図５において、撮影台６１の幅は、例えば、筐体１１の幅とほぼ同一の幅とされる。
【００４５】
図６は、画像印刷装置１を利用して撮影しているユーザを含む撮影空間を、横から見たときの図を示しており、図７は、その撮影空間を上から見たときの図を示している。なお、この図において、撮影ボックス４１は、斜線で示している。また、点線は、撮影装置３１、および撮影装置７１のそれぞれが、撮影可能な範囲を示している。
【００４６】
図６、および図７に示すように、ユーザは、面６１−２の上に足をかけて、斜面６１−３に寄りかかって撮影することができる。このように、撮影台６１を利用して撮影することにより、容易に、ユーザの全身を撮影することが可能となる。すなわち、撮影台６１を利用しない場合、ユーザの全身を撮影するためには、撮影装置３１とユーザとの間に十分な距離が必要となるのに対して、撮影台６１を利用した場合、十分な距離を確保することができない場合であっても、ユーザの全身を容易にフレームに収めて撮影することができる。従って、撮影空間をよりコンパクトに構成することができる。
【００４７】
さらに、撮影される画像は、ユーザの正面に対して、斜め下方から撮影されているため、足が長く見える画像となり、見栄えのよい画像となる。
【００４８】
また、ユーザは、撮影装置７１で撮影することにより、フレーム一杯に顔を近づけた画像を撮影することができ、しかも、その画像は、フレームから飛び出すようなものとなる。このように、より面白みのある画像を撮影することができる。
【００４９】
さらに、ユーザは、撮影台６１を利用することにより、撮影台６１を利用しない場合に較べて、より面白みのあるポーズをとって撮影することができる。例えば、ユーザは、高い位置から見下ろすような視線で撮影したり、面６１−２の上で、横ばいになって撮影したりすることができる。
【００５０】
また、例えば、トーテムポールのように、複数人のユーザが重なって撮影するとき、撮影台６１を利用しない場合には、複数人のユーザのそれぞれの全身がフレームに入ることは困難であるのに対して、撮影台６１を利用することにより、容易に、全身をフレームに収めて撮影することができる。この場合、例えば、下になるユーザは、面６１−１に腰掛け、上になるユーザは、面６１−２に腰掛けるなどして撮影する。
【００５１】
以上のように、本発明を適用した撮影台６１を利用することにより、様々なポーズをとることができ、より面白みのある画像を撮影することができる。また、上述したように、狭いスペースであっても、容易に、全身をフレームに収めて撮影することができるとともに、撮影される画像は、ユーザの正面に対して斜め下から撮影されるため、足が長く見える画像となり、より見栄えのよいものとなる。
【００５２】
以上においては、ユーザは、撮影を進行させるとき、筐体１１に設置されている操作パネル１４−１、または１４−２を操作して撮影するとしたが、例えば、図８に示すように、撮影台６１の斜面６１−３に操作パネル８１を設置するようにしてもよい。これにより、ユーザは、筐体１１に近づかなくても撮影を指示することができるため、好みのポーズをゆっくりととることができる。例えば、筐体１１の操作パネル１４−１、または１４−２を操作して撮影する場合、ユーザは、撮影のスタートを指示してから、撮影台６１に急いで戻ってポーズをとらなければならない。
【００５３】
なお、撮影パネル８１は、斜面６１−３に設置されることに限定されるものではなく、撮影台６１の近傍であれば、いずれの場所であってもよい。操作パネル８１から入力された各種の情報は、例えば床下に配置される図示せぬケーブルを介して画像印刷装置１に供給される。
【００５４】
以上においては、撮影台６１に斜面６１−３を設けるようにしたが、画像印刷装置１に斜面を設けることにより、上述したものと同様の画像を撮影することができる。
【００５５】
図９は、本発明を適用した、写真シール自動販売機としての画像印刷装置９１の構成例を示す斜視図である。
【００５６】
所定の角度だけ傾斜して筐体１１に設けられている斜面１０１−１には、左上方に、硬貨投入口１０２が設けられている。ユーザは、画像印刷装置９１を利用して撮影するとき、所定の代金を投入する。また、斜面１０１−１には、その右上方に、操作パネル１０３が設けられている。ユーザは、モニタ１０５に表示される画面に従って、操作パネル１０３に配置されている各種の操作ボタンを操作し、撮影処理を進行する。
【００５７】
地面に対してほぼ垂直な面１０１−２には、中央にモニタ１０５が設置され、その左右に照明装置１０４−１、および１０４−２が配置されている。モニタ１０５には、撮影方法を説明するガイド画面や、ユーザがガイド画面に従って撮影したとき、その撮影画像などが表示される。照明装置１０４−１、および１０４−２は、被写体を撮影するタイミングで、内蔵する発光体を駆動し、被写体にフラッシュを照射する。
【００５８】
面１０１−３には、上述した撮影装置７１と同様の構成を有する撮影装置１２１が設置されている。すなわち、撮影装置１２１の所定の角度だけ下方を向いている面には、被写体により反射される光を集光するCCDカメラ１２２と、CCDカメラ１２２により撮影された画像を動画像として表示する取り込み画像表示部１２３が設置される。
【００５９】
また、面１０１−３の撮影装置１２１の左右には、スピーカ１０６−１、および１０６−２が設置され、撮影方法の音声ガイダンスや、撮影時の効果音などをそれぞれ出力する。
【００６０】
筐体１１の側面である面１０１−４には、シール取り出し口１０７が設けられており、撮影を終了したユーザは、撮影した画像が印刷され、筐体１１から排出されるシールシートを受け取る。
【００６１】
以上のような構成を有する画像印刷装置９１は、図１の画像印刷装置１と同様に、撮影ボックス４１に設置され、ユーザは、撮影ボックス４１の内部の撮影空間で、様々なポーズをとって撮影する。
【００６２】
図１０は、画像印刷装置９１を利用して撮影しているユーザを含む撮影空間を、横から見たときの図を示しており、図１１は、その撮影空間を上から見たときの図を示している。上述したものと同一のものに関しては、同一の符号を付してある。この図において、点線は、撮影装置７１、および撮影装置１２１のそれぞれが撮影可能な範囲を示している。
【００６３】
図１０、および図１１に示すように、ユーザは、筐体１０１に設けられている斜面１０１−１に寄りかかって、操作パネル１０３を操作し、撮影することができる。このように、斜面１０１−１を利用して撮影することにより、容易に、ユーザの全身をフレームに収めて撮影することが可能となる。
【００６４】
例えば、撮影空間を十分に確保することができずに、図１０に示すような撮影装置７１で、ユーザが立って撮影した場合、ユーザの頭や足がフレームからはずれてしまうことが予想される。これに対して、斜面１０１−１を利用して寄りかかって撮影することにより、容易にその全身をフレームに収めて撮影することが可能となる。
【００６５】
また、撮影装置１２１により撮影された画像は、図６の撮影装置７１により撮影された画像と同様に、フレーム一杯に顔を近づけた状態のものとなり、より面白みのある画像を撮影することができる。
【００６６】
図１２は、図９の画像印刷装置９１の内部の構成例を示すブロック図である。
【００６７】
CPU（Central Processing Unit）１３１は、ROM（Read Only Memory）１３２に記憶されているプログラム、または、プログラム記憶部１３４からRAM（Random Access Memory）１３３にロードしたプログラムに従って、画像印刷装置９１の全体の動作をバス１３６を介して制御する。RAM１３３にはまた、CPU１３１が各種の処理を実行する上において必要なデータなどが適宜記憶される。
【００６８】
プログラム記憶部１３４は、ハードディスクやそのドライブからなり、CPU１３１が実行する様々なプログラムなどを記憶する。ドライブ１３５は、フロッピディスクやハードディスクなどの磁気ディスクや、CD-ROM(Compact Disk-Read Only Memory)，DVD(Digital Versatile Disc)などの光ディスクなどの記録媒体に記憶されているプログラムを読み出し、バス１３６を介してプログラム記憶部１３４などに供給する。例えば、ドライブ１３５からは、被写体の画像と合成する新たなフレーム画像などが供給される。
【００６９】
撮影装置１２１の内部には、CCDカメラ１２２および取り込み画像表示部１２３の他に、CCDカメラ制御部１２４が配置されている。CCDカメラ制御部１２４は、ユーザが操作パネル１０３を操作することにより入力したCCDカメラ１２２の調節要求に応じて、CCDカメラ１２２のズーム率、取り込む光量などを制御する。また、同様に、撮影装置７１の内部にも、CCDカメラ７２を制御するCCDカメラ制御部７４が設けられている。
【００７０】
音声出力制御部１３７は、CPU１３１からの制御に基づいて、スピーカ１０６−１、および１０６−２を制御し、撮影方法などを説明する各種の音声ガイダンスや、例えば、静止画像を取り込むときのシャッター音などの効果音を出力する
。
【００７１】
表示プロセッサ１３８は、撮影処理が終了し、ユーザが撮影した画像の編集を開始するとき、後述するキープ画像記憶部１４０からバス１３６を介して転送されてくるキープ画像を内蔵するメモリ１３８Aに記憶する。そして、表示プロセッサ１３８は、タッチパネル１３９において編集入力がされたとき、編集対象の画像（以下、適宜、編集対象画像と称する）上における、その入力位置を検出し、編集対象画像に反映させてモニタ１０５に表示させる。なお、図１２においては、モニタ１０５とタッチパネル１３９は別の位置に示されているが、実際には積層して配置されている。
【００７２】
キープ画像記憶部１４０は、ユーザが撮影し、編集する画像として選択した画像を所定の枚数だけ記憶する。例えば、キープ画像記憶部１４０は、キープ画像（編集対象画像）を６枚まで記憶する。
【００７３】
硬貨処理部１４１は、硬貨投入口１０２から投入された硬貨をカウントし、画像の作成代金として予め設定されている所定の金額が投入されたと判定したとき、それをCPU１３１に通知する。
【００７４】
プリンタ１４２は、所定の数、および大きさに分割されたシールのシールシートを複数種類ストックし、ユーザから選択されたシールシートに、編集済みの画像を印刷する。プリンタ１４２により印刷されたシールシートは、シール取り出し口１０７に排出され、ユーザに提供される。
【００７５】
次に、図１３のフローチャートを参照して、図９の画像印刷装置９１の画像印刷処理について説明する。また、必要に応じて図１４乃至図２０を参照して説明する。
【００７６】
ステップS１において、CPU１３１は、表示プロセッサ１３８を制御し、プログラム記憶部１３４に記憶されている、撮影の進行方法などのデモンストレーション画面（以下、デモ画面と称する）をモニタ１０５に表示させる。
【００７７】
ステップS２において、CPU１３１は、硬貨処理部１４１からの出力に基づいて、所定の代金（シールシートの作成代金）が投入されたか否かを判定し、投入されたと判定するまでデモ画面を表示して待機する。一方、CPU１３１は、代金が投入されたと判定した場合、ステップS３に進み、各種の機能や撮影方法を説明する説明画面をモニタ１０５に表示する。
【００７８】
図１４は、モニタ１０５に表示される説明画面の例を示す図であり、撮影装置７１により撮影するか、または、撮影装置１２１により撮影するかを選択する画面とされている。なお、「＋／−ボタンで選んでね」のメッセージが表示されており、ユーザは、操作パネル１０３の「＋ボタン」を操作した場合、撮影装置７１（ユーザがモニタ１０５を見ている場合、後ろ側にあるカメラ）により撮影することができ、「−ボタン」を操作した場合、撮影装置１２１により撮影することができる。また、画面の右上には、残りの撮影可能枚数（キープ画像の枚数）が「６枚」として表示されている。
【００７９】
そして、撮影装置が選択されることに応じて、取り込み画像表示部に動画像の表示が開始される。例えば、撮影装置７１が選択された場合、取り込み画像表示部７３には、CCDカメラ７２により撮影される動画像が表示される。
【００８０】
図１５は、モニタ１０５に表示される説明画面の他の例を示す図であり、例えば、図１４において撮影装置が選択された後、表示される。この例においては、撮影する画像を縦長の画像とするか、横長の画像とするかを選択する画面とされている。なお、「＋／−ボタンで選んでね」のメッセージが表示されており、ユーザは、操作パネル１０３の「＋ボタン」を操作した場合、縦長の画像を撮影することができ、「−ボタン」を操作した場合、横長の画像を撮影することができる。
【００８１】
図１６は、モニタ１０５に表示される説明画面のさらに他の例を示す図であり、例えば、図１５において撮影する画像の方向が選択された後、表示される。この例においては、「ズームの調整を＋／−ボタンでしてね。用意ができたらスタートボタンを押してね」のメッセージが表示されており、ユーザは、操作パネル１０３の「＋ボタン」、および「−ボタン」を操作することにより、選択した撮影装置に設置されるCCDカメラのズーム調整を行うことができる。
【００８２】
ステップS４において、CPU１３１は、図１４、図１５および図１６に示したような説明画面に応じて、ユーザから各種の指示が入力されたとき、その入力に基づいて、各部を制御する。例えば、図１４において撮影装置７１が選択され（「＋ボタン」が操作され）、図１５に示すような説明画面において「＋ボタン」が操作されたとき、CCDカメラ制御部７４は、CPU１３１からの指示に基づいて、取り込む画像を縦長の画像とするようにCCDカメラ７２を制御する。
【００８３】
CPU１３１は、ステップS５において、操作パネル１０３からの出力に基づいて、撮影を開始するとき操作される撮影スタートボタンが操作されたか否かを判定し、まだ操作されていないと判定した場合、ステップS３に戻り、それ以降の処理を繰り返し実行する。一方、CPU１３１は、撮影スタートボタンが操作されたと判定した場合、ステップS６に進み、モニタ１０５にカウントダウンインジケータを表示させ、撮影するタイミングとなったとき、選択された撮影装置のCCDカメラにより撮影される画像を記憶する。
【００８４】
図１７は、ステップS６においてモニタ１０５に表示される表示画面の例を示す図である。図に示すように、カウントダウンインジケータ１５１が表示され、例えば、左側の信号から順に点灯が開始され、１番右側の信号が点灯されたとき、上述した例のように撮影装置７１が選択されている場合、CCDカメラ７２により撮影される画像が記憶される。なお、この例においては、撮影するタイミングと同時に、「はい、ポーズ！」のメッセージが表示されている。
【００８５】
撮影するタイミングとなったとき、CPU１３１は、照明装置１０４−１，１０４−２を制御してフラッシュを被写体に照射するとともに、その瞬間にCCDカメラ７２により取り込まれている画像を、静止画像として保存し、キープ画像記憶部１４０に記憶させる。すなわち、ユーザは、撮影スタートボタンを操作してから撮影までの時間に、斜面１０１−１に寄りかかったり、寝ころんだりしてポーズをとる。
【００８６】
ステップS７において、CPU１３１は、ステップS６で撮影した画像の確認画面をモニタ１０５に表示させる。
【００８７】
図１８は、画像確認画面の例を示す図であり、モニタ１０５のほぼ中央に、ステップS６で撮影した画像が表示され、その上に、「これでいいかな？○／×ボタンを押してね」のメッセージが表示されている。ユーザは、表示されている画像をキープ画像として保存するか否かを、操作パネル１０３の「○ボタン」または「×ボタン」を操作して選択する。
【００８８】
そして、CPU１３１は、ステップS８で、操作パネル１０３からの入力に基づいて、キープ画像として保存することが指示されたか否かを判定し、指示されていない（「×ボタン」が操作された）と判定した場合、ステップS９に進み、ステップS６で撮影し、キープ画像記憶部１４０に記憶されている画像を消去する。そして、ステップS３に戻り、それ以降の処理が繰り返し実行される。
【００８９】
一方、CPU１３１は、ステップS８において、キープ画像として保存することが選択された（「○ボタン」が操作された）と判定した場合、ステップS１０に進み、その画像をキープ画像に追加する。
【００９０】
そして、ステップS１１において、CPU１３１は、キープ画像として追加した画像の明るさを調整する明るさ調整画面をモニタ１０５に表示させる。
【００９１】
図１９は、ステップS１１でモニタ１０５に表示される明るさ調整画面の例を示す図である。この例においては、キープ画像として保存された画像が画面のほぼ中央に表示され、その下に、明るさのレベルを指定するボタンが表示されている。また、画面の上部には、「明るさを＋／−ボタンで調整してね。よければ○ボタンを押してね。」のメッセージが表示されており、ユーザは、操作パネル１０３の「＋ボタン」または「−ボタン」を操作し、カーソル１６１を移動させて明るさを調整する。なお、ステップS１０でキープ画像が選択されたため、図１９の右上方に示すように、残り撮影可能枚数が１だけ減算されて、例えば、「５枚」とされる。
【００９２】
CPU１３１は、操作パネル１０３からの入力に応じて、キープ画像の明るさを調整し、「○ボタン」が操作されたとき、そのレベルの明るさでキープ画像をキープ画像記憶部１４０に保存し、ステップS１２に進む。
【００９３】
ステップS１２において、CPU１３１は、キープ画像記憶部１４０に記憶されているキープ画像の枚数を確認し、残り撮影可能枚数が「０枚」となったか、または操作パネル１０３からの出力に基づいて、撮影を終了するとき操作される「撮影終了ボタン」が操作されたか否かを判定し、残り撮影可能枚数が「０枚」でない、かつ、「撮影終了ボタン」が操作されていないと判定した場合、ステップS３に戻り、同様の撮影処理を繰り返し実行する。
【００９４】
CPU１３１は、ステップS１２において、残り撮影可能枚数が「０枚」となった、または「撮影終了ボタン」が操作されたと判定した場合、ステップS１３に進み、シールシートの分割数の選択画面をモニタ１０５に表示させる。このシールシートは、所定の数、および大きさに分割された複数のシールの組み合わせからなり、複数種類のパターンがプリンタ１４２に予め用意されている。
【００９５】
図２０は、ステップS１３でモニタ１０５に表示される分割数選択画面の例を示す図である。この例においては、画面の上部に、「分割数を選択してね。＋／−ボタンで選んで○ボタンで決定してね。」のメッセージが表示されており、ユーザは、操作パネル１０３の「＋ボタン」、または「−ボタン」を操作してカーソル１７１を移動させ、好みの分割数のシールシートを選択する。なお、ユーザは、１枚のシールシートを様々な大きさのシールに分割する「混合分割」、１枚のシールシートをそれぞれが等しい大きさの３２個のシールに分割する「３２分割」、１枚のシールシートをそれぞれが等しい大きさの２５個のシールに分割する「２５分割」、１枚のシールシートをそれぞれが等しい大きさの９個のシールに分割する「９分割」のうちから、好みの分割数のシールシートを選択することができるようになされている。なお、さらに複数のパターンからシールシートを選択できる場合、図に示すように、画面の左右に矢印でそれが示される。
【００９６】
そして、シールシートが選択されたとき、ステップS１４において、撮影した画像の編集画面がモニタ１０５に表示されるため、ユーザは、モニタ１０５にふれて画像の編集を行う。また、図１の画像印刷装置１のように、編集入力用のタッチペンが設置されている場合、それを用いて入力するようにしてもよい。
【００９７】
ステップS１４において画像の編集処理が終了され、シールシートに編集済みの画像が印刷された後、処理はステップS１に戻り、それ以降の処理が繰り返し実行される。ユーザは、シール取り出し口１０７に排出されるシールシートを受け取り、撮影を終了する。
【００９８】
次に、図２１のフローチャートを参照して、図１３のステップS１４において実行される画像編集処理について説明する。
【００９９】
ステップS３１において、表示プロセッサ１３８は、キープ画像データがバス１３６を介してキープ画像記憶部１４０から転送されてきたか否かを判定し、転送されてきたと判定するまで待機する。すなわち、撮影処理が終了され、編集処理が開始されるとき、CPU１３１は、キープ画像記憶部１４０に記憶されているキープ画像を表示プロセッサ１３８に転送させる。表示プロセッサ１３８は、ステップS３１で、キープ画像データが転送されてきたと判定した場合、ステップS３２に進み、それを内蔵するメモリ１３８Aに記憶する。
【０１００】
ステップS３３において、表示プロセッサ１３８は、モニタ１０５に編集画面を表示する。
【０１０１】
図２２は、モニタ１０５に表示される編集画面の例を示す図である。編集画面は、基本的に、編集対象画像表示部１８１、編集対象画像選択部１８２、入力ツール選択部１８３、制限時間表示部１８４から構成される。編集対象画像選択部１８２には、撮影されたキープ画像がサムネイル表示され、ユーザは、編集対象の画像（書き込みをする画像）を選択することができる。ユーザにより編集対象画像として選択された画像は、編集対象画像表示部１８１に拡大表示される。入力ツール選択部１８３には、様々な入力ツール（書き込みツール）を選択するとき操作されるボタンが表示され、ユーザは、この中から入力ツールを選択する。
【０１０２】
入力ツールには、例えば、文字や図形を書き込むとき使用される「ペン」や、同一の文字や図形を入力するとき使用される「スタンプ」などがある。そして、「ペン入力モード」が選択されたとき、ペンの太さを選択するウインドウや、ペンの種類（例えば、クレヨンのように、線の一部をかすれたように表示する「クレヨンペン」）を選択するウインドウが表示される。また、「スタンプ入力モード」が選択されたときも同様に、スタンプを選択するウインドウが表示される。
【０１０３】
制限時間表示部１８４には、編集処理を行う時間として予め設定されている制限時間が表示される。この例においては、残り時間が「３０秒」として表示され、残り時間が「０秒」となったとき、強制的に編集処理が終了されるようになされている。
【０１０４】
上述したものの他に、編集画面の下方には、縦方向に表示されている編集対象画像を横方向に、またはその逆に、表示を切り替えるとき操作される画像方向切替ボタン１９１、入力した書き込みの１部分を消去するとき操作される消しゴムボタン１９２、入力した書き込みをやり直す（取り消す）とき操作されるやり直しボタン１９３、入力した書き込みを全て消去し、何も書き込まれていない画像に戻すとき操作される取り消しボタン１９４、および、編集処理を終了するとき操作される終了ボタン１９５が表示される。
【０１０５】
ステップS３４において、表示プロセッサ１３８は、タッチパネル１３９からの入力に基づいて、ユーザから入力された各種の指示を識別し、それに応じて編集対象画像を編集する。表示プロセッサ１３８は、例えば、編集対象画像として選択された画像を、２つのフレームバッファに記憶させ、入力された編集を片方のフレームの画像に反映させる。そして、表示プロセッサ１３８は、その編集が取り消されたとき（消しゴム処理が入力されたとき）、編集が反映されていないフレームの画像（もう片方の画像）の対応する部分のデータを、編集を反映させる画像のフレームに反映することにより、その編集を取り消す。
【０１０６】
ステップS３５において、表示プロセッサ１３８は、タッチパネル１３９からの入力に基づいて編集した画像をモニタ１０５に表示させる。すなわち、モニタ１０５には、上述した２つのフレームバッファのうちの、編集を反映した方のフレームバッファに記憶されている画像が表示され、ユーザが書き込みをしたとき、その書き込みがリアルタイムで反映されて表示される。
【０１０７】
ステップS３６において、表示プロセッサ１３８は、制限時間が経過したか否か、または終了ボタン１９５が操作されたか否かを判定し、制限時間が経過していない、かつ、終了ボタン１９５が操作されていないと判定した場合、ステップS３４に戻り、それ以降の処理を繰り返し実行する。
【０１０８】
一方、表示プロセッサ１３８は、制限時間が経過した、またはタッチパネル１３９からの入力に基づいて、撮影終了ボタン１９５が操作されたと判定した場合、ステップS３７に進み、編集済みの画像データをバス１３６を介してプリンタ１４２に転送し、図１３のステップS１３で選択された分割数のシールシートの各シールに、編集済みの画像を印刷する。
【０１０９】
例えば、図１３のステップS１３において、「２８分割」（図示せず）のシールシートが選択され、かつ６種類の画像の全てを印刷することが指示された場合、表示プロセッサ１３８は、１つの編集済みの画像を、４個づつのシールに印刷する。このように、シールシート上のそれぞれのシールに印刷される画像を、ユーザが個々に選択できるようにしてもよい。プリンタ１４２は、編集済みの画像を印刷したシールシートを、シール取り出し口１０７に排出する。そして、図１３のステップS１４以降の処理が繰り返し実行される。
【０１１０】
図２３（A），（B）は、図１の画像印刷装置１により、または上述した画像印刷装置９１の処理により作成される印刷媒体（シールシート）の例を示す図である。
【０１１１】
図２３（A）は、例えば、ユーザにより６分割のシールシートが選択された場合とされており、シールシート上のそれぞれのシールに、異なった画像がそれぞれ印刷されている。すなわち、上述したように、ユーザは、印刷する画像を複数種類、キープ画像として撮影することができ、この例においては、６種類の画像を撮影した場合とされている。
【０１１２】
図２３（B）は、例えば、ユーザにより、図２０の選択画面から、「混合分割」が選択された場合とされており、シールシート上の、２枚の大きいサイズのシールと、３枚の小さいサイズのシールとをそれぞれ１組として、それぞれの組のシールに、異なった画像が印刷されている。すなわち、この場合も、ユーザは、６種類の画像を撮影した場合とされている。
【０１１３】
このように、ユーザは、様々なポーズをとって撮影することができ、撮影した複数種類の画像をシールシートに印刷することができる。
【０１１４】
なお、画像印刷装置９１のプリンタ１４２には、図２３に示されるようなシールシート（シール紙）が複数連なった、ロール状のものが装着されており、プリンタ１４２は、シール紙を必要な分だけ切断し、そこに撮影した画像を印刷する。
【０１１５】
図２４は、画像印刷装置９１の他の構成例を示すブロック図であり、図に示されるように、ロール状に構成されるシール紙２０１Ａには、IDタグ２０１Ｂが付されている。そして、このシール紙２０１ＡとIDタグ２０１Ｂにより、シール紙ユニット２０１が構成される。
【０１１６】
また、図２４に示されるように、上述したプリンタ１４２は、より詳細には、プリンタ部１４２ＡとIDタグリーダ／ライタ１４２Ｂにより構成される。
【０１１７】
プリンタ部１４２Ａは、編集処理等が施された画像データが供給されたとき、供給された画像データを、複数のシールが所定の位置、および大きさに配置されてなるシール紙２０１Ａに印刷し、シール紙２０１Ａをシール取り出し口１０７に排出する。
【０１１８】
IDタグリーダ／ライタ１４２Ｂは、IDタグ２０１Ｂに記憶されている識別情報（ID）を接触、または非接触により読み出し、それをCPU１３１に出力する。すなわち、IDタグ２０１Ｂは、シール紙ユニット２０１が画像印刷装置９１に装着されたとき、IDタグリーダ／ライタ１４２Ｂの近傍に位置するようにシール紙ユニット２０１に設けられる。なお、シール紙２０１ＡとIDタグ２０１Ｂは、図２４に示されるように一体的に構成されるようにしてもよいし、シール紙２０１Ａがプリンタ部１４２Ａに装着され、シール紙２０１Ａに対応するIDタグ２０１Ｂが、プリンタ部１４２Ａと異なる位置（IDタグリーダ／ライタ１４２Ｂの近傍の位置）に装着されるように、それぞれ分離して構成されるようにしてもよい。
【０１１９】
CPU１３１は、IDタグリーダ／ライタ１４２Ｂから供給されたIDに基づいて、装着されているシール紙ユニット２０１が、画像印刷装置９１において利用可能なユニットであるか否かを判定し、利用可能なユニットであると判定したときにのみ、プリンタ部１４２Ａを含む画像印刷装置９１全体を動作可能にする。
【０１２０】
すなわち、CPU１３１により、画像印刷装置９１において利用可能とされるシール紙ユニットのIDが管理されており、これにより、画像印刷装置１に対応していない（純正のものでない）シール紙が利用されるのを抑制することができる。また、IDタグ２０１Ｂにより、シール紙２０１Ａの残量等も管理される。なお、シール紙ユニットが純正のものであるか否かを、シール紙ユニットにプリントされているバーコードなどにより確認させるようにしてもよい。また、単に、シール紙ユニットに施されている、個々を識別することが可能な形状により、装着されているシール紙ユニットが純正のものであるか否かを確認させるようにしてもよい。
【０１２１】
次に、図２５のフローチャートを参照して、IDタグ２０１Ｂに記憶されているIDを検出し、それが正当なものであるか否かを認証する画像印刷装置９１の処理について説明する。
【０１２２】
ステップＳ５１において、CPU１３１は、画像印刷装置９１の所定の位置に、シール紙ユニット２０１が装着されたか否かを判定し、シール紙ユニット２０１が装着されたと判定するまで待機する。一方、CPU１３１は、ステップＳ５１において、シール紙ユニット２０１が画像印刷装置９１に装着されたと判定された場合、ステップＳ５２に進む。
【０１２３】
ステップＳ５２において、IDタグリーダ／ライタ１４２Ｂは、CPU１３１からの指令に応じて、シール紙ユニット２０１に付されているIDタグ２０１Ｂにより管理されているIDを接触、または非接触により読み取り、それをCPU１３１に出力する。
【０１２４】
ステップＳ５３において、CPU１３１は、IDタグリーダ／ライタ１４２Ｂから供給されてきたIDと、ROM１３２等に予め記憶されているIDを照合し、それらのIDが同一であるか否かを判定する。
【０１２５】
CPU１３１は、ステップＳ５３において、IDタグリーダ／ライタ１４２Ｂから供給されてきたIDと、ROM１３２等に予め記憶されているIDが一致しないと判定した場合、ステップＳ５４に進み、画像印刷装置９１を使用できない旨のメッセージをモニタ１０５に表示させる。そして、CPU１３１は、ステップＳ５５において、画像印刷装置９１を使用禁止状態とし、処理を終了させる。
【０１２６】
一方、ステップＳ５３において、CPU１３１は、IDタグリーダ／ライタ１４２Ｂから供給されてきたIDと、ROM１３２等に予め記憶されているIDが同一であると判定した場合、ステップＳ５６に進み、画像印刷装置９１を使用できる旨のメッセージをモニタ１０５に表示させる。また、CPU１３１は、ステップＳ５７において、画像印刷装置９１を使用可能状態とし、処理を終了させる。
【０１２７】
以上のように、IDタグ２０１Ｂにより管理されているIDに基づいて認証するようにしたので、画像印刷装置９１に対して純正なものとされているシール紙ユニット２０１以外のユニットが使用されるのを抑制することができる。
【０１２８】
また、印刷媒体は、シールシートに限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
【０１２９】
上述したように、本発明を適用した撮影台６１、および画像印刷装置９１を利用して、ユーザは、様々なポーズをとって撮影することができるが、角度や、階段の幅などの寸法は、上述したものに限定されるものではない。すなわち、斜面を、より急角度に構成することもできるし、その素材を柔らかい素材により構成するようにしてもよい。
【０１３０】
また、以上においては、主に、図９の画像印刷装置９１の処理について説明したが、図１の画像印刷装置１の処理も、基本的に図１３の処理と同様の処理である。
【０１３１】
【発明の効果】
以上のように、本発明によれば、従来では困難であった、様々なポーズをとることができ、より面白みのある画像を撮影することができる。また、十分な撮影空間を確保できない場合であっても、容易に、ユーザの全身をフレームに収めて撮影することができる。さらに、撮影された画像は、足が長く見えるなど、見栄えよいものとなる。
【図面の簡単な説明】
【図１】画像印刷装置の構成例を示す斜視図である。
【図２】図１の画像印刷装置が格納される撮影ボックスの外観を示す斜視図である。
【図３】図２の撮影ボックスの内部における各装置の配置例を示す図である。
【図４】本発明を適用した撮影台の側面図である。
【図５】本発明を適用した撮影台の正面図である。
【図６】撮影空間を横から見た図である。
【図７】図６の撮影空間を上から見た図である。
【図８】本発明を適用した撮影台の他の構成例を示す図である。
【図９】本発明を適用した画像印刷装置の構成例を示す斜視図である。
【図１０】図９の画像印刷装置が格納される撮影空間を横から見た図である。
【図１１】図１０の撮影空間を上から見た図である。
【図１２】図９の画像印刷装置の内部の構成例を示すブロック図である。
【図１３】図９の画像印刷装置の処理を説明するフローチャートである。
【図１４】図９のモニタの表示例を示す図である。
【図１５】図９のモニタの他の表示例を示す図である。
【図１６】図９のモニタのさらに他の表示例を示す図である。
【図１７】図９のモニタの表示例を示す図である。
【図１８】図９のモニタの他の表示例を示す図である。
【図１９】図９のモニタのさらに他の表示例を示す図である。
【図２０】図９のモニタの表示例を示す図である。
【図２１】図９の画像印刷装置の他の処理を説明するフローチャートである。
【図２２】図９のモニタの表示例を示す図である。
【図２３】本発明を適用した画像印刷装置により作成される印刷媒体の例を示す図である。
【図２４】図９の画像印刷装置の内部の他の構成例を示すブロック図である。
【図２５】図９の画像印刷装置のさらに他の処理を説明するフローチャートである。
【符号の説明】
６１  撮影台
７１  撮影装置
７２  CCDカメラ
７３  取り込み画像表示部
８１  操作パネル
９１  画像印刷装置
１０３  操作パネル
１２１  撮影装置
１２２  CCDカメラ
１２３  取り込み画像表示部
１４２  プリンタ
２０１  印刷媒体ユニット
【図１】
0004207429.tif 000002
【図２】
0004207429.tif 000003
【図３】
0004207429.tif 000004
【図４】
0004207429.tif 000005
【図５】
0004207429.tif 000006
【図６】
0004207429.tif 000007
【図７】
0004207429.tif 000008
【図８】
0004207429.tif 000009
【図９】
0004207429.tif 000010
【図１０】
0004207429.tif 000011
【図１１】
0004207429.tif 000012
【図１２】
0004207429.tif 000013
【図１３】
0004207429.tif 000014
【図１４】
0004207429.tif 000015
【図１５】
0004207429.tif 000016
【図１６】
0004207429.tif 000017
【図１７】
0004207429.tif 000018
【図１８】
0004207429.tif 000019
【図１９】
0004207429.tif 000020
【図２０】
0004207429.tif 000021
【図２１】
0004207429.tif 000022
【図２２】
0004207429.tif 000023
【図２３】
0004207429.tif 000024
【図２４】
0004207429.tif 000025
【図２５】
0004207429.tif 000026